(57)【要約】【課題】  平板型映像表示装置の組立てを簡単に行い、映像表示パネルの保管及び搬送を効率よく行えるようにする。【解決手段】  映像表示パネル本体１０１の内部に、その筐体１０４の下端面から上端面近傍まで開口部１０７を設けると共に、この開口部１０７に支持手段１０２の支柱１０８を挿通して映像表示パネル本体１０１を立置状態で支持できるように構成した。この状態で、映像表示パネル本体１０１を支柱１０８にネジ止め等の固定手段で固定する。  また、固定しない状態においては、映像表示パネル本体の保管あるいは搬送を立置した状態で行うことができスペース効率、扱い易さを向上させることができる。  【選択図】図５
2006184633.tif 000002
【特許請求の範囲】
【請求項１】
映像表示面と、この映像表示面を覆う筐体を有した映像表示パネル本体と、
この映像表示パネル本体の前記筐体の一辺から対向する辺に向かって形成され、当該映像表示パネル本体を立置状態に支持する支持手段の支柱が挿通可能な開口部と、
を備えたことを特徴とする映像表示装置。
【請求項２】
映像表示パネル部と、
この映像表示パネル部をその映像表示面を立置状態に支持する支持手段とで構成される映像表示装置において、
前記映像表示パネル部と支持手段を相互に係合させて仮固定状態で前記映像表示パネル部を前記支持手段で支持させる係合機構と、
前記係合機構で支持手段に係合された映像表示パネルを前記支持手段に固定する固定手段と、
を具備したことを特徴とする映像表示装置。
【請求項３】
映像表示面と、この映像表示面を覆う筐体を有した映像表示パネル本体と、
この映像表示パネル本体の筐体の一辺から対向する辺に向かって形成された開口部と、
この開口部が挿通される支柱を有し、当該支柱が前記開口部に挿通されることで前記映像表示パネル本体を、前記映像表示面が立置した状態で支持する支持手段と、
を具備したことを特徴とする映像表示装置。
【請求項４】
前記支柱に開口部が挿通された映像表示パネル本体が、固定手段によって前記支柱に固定されることを特徴とする請求項３に記載の映像表示装置。
【請求項５】
前記開口部は、前記映像表示パネル本体の筐体の一辺から他方の辺まで貫通するように形成され、前記支柱はその先端に指掛部を設け、前記開口部に挿通された際に、その先端の指掛部が反対側の筐体から突出するように形成されていることを特徴とする請求項３または４に記載の映像表示装置。
【請求項６】
前記開口部は、前記映像表示パネル本体の、下辺から上辺方向に形成されていることを特徴とする請求項３乃至５のいずれかに記載の映像表示装置。
【請求項７】
前記開口部は、前記映像表示パネル本体の、一方の側辺から反対側の側辺方向に形成されていることを特徴とする請求項３乃至６のいずれかに記載の映像表示装置。
【請求項８】
前記支持手段が壁面に固定され、前記映像表示パネル本体がその開口部を支持手段の支柱に装置に挿通されることで、壁面に固定されることを特徴とする請求項３に記載の映像表示装置。
【請求項９】
映像表示面と、この映像表示面を覆う筐体を有した映像表示パネル本体の筐体の一辺から対向する辺に向かって形成された開口部に、前記映像表示パネル本体を、前記映像表示面が立置した状態で支持する支持ために支持手段の支柱を挿通するステップと、
前記支柱に開口部が挿通された映像表示パネル本体を固定手段によって前記支柱に固定するステップと、
を有することを特徴とする映像表示装置の組立方法。
【発明の詳細な説明】
【技術分野】
【０００１】
この発明は、液晶表示パネル、プラズマ表示パネル等平板型の表示パネルを備えた映像表示装置に関し、特に、装置の組み立て作業を簡単に行なうことが可能で、さらに組み立てる過程で表示面に損傷を与えるような事故の発生を防止することができる映像表示装置及び映像表示装置の組立方法に関する。
【背景技術】
【０００２】
液晶表示パネルあるいはプラズマ表示パネル等を備えた平板型映像表示装置は、陰極線管映像表示装置に比べて、奥行き寸法が小さいため設置スペースが少なくてすみ、また映像表示性能も、陰極線管とほぼ同等のものが得られるようになったため、普及が促進されつつあり、いずれは、陰極線管に取って代わってそれら平板型の映像表示装置が主流になるものと推測される。
【０００３】
これら平板型映像表示装置は、最も大きな特徴である奥行き寸法の小ささを売り物にするため、外観形状も可能な限り表示面の厚み方向寸法を小さく設定する傾向にある。したがって、映像表示パネル本体だけでは、表示面をユーザが視聴を行う、いわゆる立置させた状態に保持させることは不可能であり、通常、スタンドを別に用意して、このスタンドに映像表示パネル本体を固定して立置させるようにしている。
【０００４】
映像表示パネル本体をスタンドに固定する場合、従来では、映像表示部の背面にスタンドの支柱部を当て付けて位置決めした後、ネジ止めによって支柱に固定する方法が採られていた（特許文献１）。
【０００５】
この方法は、まず映像表示部をスタンド支柱に対して所定の位置関係で保持する作業を行う必要があるため、組み立て作業を一人の作業者で行うことは極めて困難であり、複数の作業者で行なわざるを得ない。映像表示部のサイズが小型であってもこの作業は基本的に変わることはなく複数の作業者で対応する必要があった。
【０００６】
また、組み立て作業のために映像表示パネル本体を作業場の所定の場所に保管することがあるが、その場合、転倒させたり、落下させたりすると、破損等重大な事故を起しかねないので、表示パネルの表示面を下にして床に直に置くということが採られる。そのため、広い収容スペースが必要になり、また表示面を傷付ける虞があるという問題を有している。
【０００７】
さらに、映像表示パネル本体を移動させる場合にも、搬送台の上に表示面を下にして載せるため、表示面を傷付ける虞があり、一度に多数の表示パネル本体を搬送することができないという問題を有している。
【特許文献１】特開２００４−１２６４５６号公報
【発明の開示】
【発明が解決しようとする課題】
【０００８】
以上のように、従来、平板型表示パネルを備えた映像表示装置の製造時には、映像表示パネル本体をスタンドに固定する作業を一人の作業者で行うことができず製造コストが嵩んでいた。
【０００９】
映像表示パネルを保管したり、あるいは搬送したりする際に、その映像表示面を下にして床あるいは搬送台に直置きするため、広いスペースを必要としたり多数の表示パネル本体を一度に搬送することができないため、効率が悪く、さらにその表示面を傷付けてしまうことがあるという問題を有していた。
【００１０】
この発明は、以上の点に対処してなされたものであり、映像表示パネル本体とこれを支持する支持手段とを係合機構で相互に連結させて、映像表示パネルの立置状態を確保可能にすることで、組み立て作業の簡素化と、映像表示パネルの表示面が損傷を受けるような扱いの回避を実現し、さらに映像表示パネル本体の保管、搬送の効率を向上させた映像表示装置及び映像表示装置の組立方法を提供することを目的とする。
【課題を解決するための手段】
【００１１】
この発明に係る映像表示装置は、映像表示面と、この映像表示面を覆う筐体を有した映像表示パネル本体と、この映像表示パネル本体の前記筐体の一辺から対向する辺に向かって形成され、当該映像表示パネル本体を立置状態に支持する支持手段の支柱が挿通可能な開口部と、を備えたことを特徴とする。
【００１２】
この発明に係る映像表示装置は、映像表示パネル部と、この映像表示パネル部をその映像表示面を立置状態に支持する支持手段とで構成される映像表示装置において、前記映像表示パネル部と支持手段を相互に係合させて仮固定状態で前記映像表示パネル部を前記支持手段で支持させる係合機構と、前記係合機構で支持手段に係合された映像表示パネルを前記支持手段に固定する固定手段と、を具備したことを特徴とする。
【００１３】
この発明に係る映像表示装置は、映像表示面と、この映像表示面を覆う筐体を有した映像表示パネル本体と、この映像表示パネル本体の筐体の一辺から対向する辺に向かって形成された開口部と、この開口部が挿通される支柱を有し、当該支柱が前記開口部に挿通されることで前記映像表示パネル本体を、前記映像表示面が立置した状態で支持する支持手段と、を具備したことを特徴とする。
【００１４】
この発明に係る映像表示装置の組立方法は、映像表示面と、この映像表示面を覆う筐体を有した映像表示パネル本体の筐体の一辺から対向する辺に向かって形成された開口部に、前記映像表示パネル本体を、前記映像表示面が立置した状態で支持する支持手段の支柱を挿通するステップと、前記支柱に開口部が挿通された映像表示パネル本体を固定手段によって前記支柱に固定するステップと、を有することを特徴とする。
【発明の効果】
【００１５】
本発明によれば、映像表示パネル本体を支持手段に連結させることで、立置状態を確保することが可能であるため、組み立て作業を１人の作業者で行うことができ、作業性が著しく向上する。さらに映像表示パネル本体を立置状態で保管または搬送させることができるため、作業効率が上がると共に、表示面に傷を付けてしまうというような事故を防止することができるものである。
【発明を実施するための最良の形態】
【００１６】
以下、この発明の実施の形態について図面を参照して詳細に説明する。図１は、本発明の映像表示装置の一実施の形態を説明するために示す図であり、装置を正面から見た図である。
【００１７】
図１において、映像表示装置１００は、映像表示パネル本体１０１と、この映像表示パネル本体を、その表示面がユーザに対向するように立てた状態すなわち、立置状態に支持する支持手段１０２で構成されている。
【００１８】
映像表示パネル本体１０１は、映像表示面１０３と、この映像表示面１０３の周囲を囲む筐体１０４を有する。
【００１９】
支持手段１０２は、映像表示装置１００が設置される床面等に直接、接して装置１００立置状態に保持するための水平板部１０５とこの水平板部１０５の表面に設けられ、後述する支柱の基礎を構成する基台１０６を有している。
【００２０】
図２は、図１に示す映像表示装置１００を裏面側から見た図であり、図３は、図１に示す映像表示装置１００を側面から見た図であり、図４は、図１に示す映像表示装置１００を上面側から見た図である。それぞれ、支持手段１０２によって、映像表示パネル本体１０１が支持される状態を説明するためのものである。
【００２１】
映像表示パネル本体１０１には、その内部に、荒い点線で示すように、筐体１０４の下端面から上端面付近にまで達する開口部１０７が設けられている。開口部１０７は、断面が、映像表示面１０３と平行な方向に長辺を有する長方形に形成されている。
【００２２】
一方、支持手段１０２には、細かな点線で示すように、その基台１０６から垂直方向に伸びる支柱１０８が設けられている。支柱１０８は、断面形状が開口部１０７と相似形で小寸法の長方形に設定されており、開口部１０７に挿通可能である。
【００２３】
映像表示パネル本体１０１は、その開口部１０７を支持手段１０２の支柱１０８に挿通させつつ、基台１０６上に載置することで、支持手段１０２によって立置状態に支持されることになる。
【００２４】
基台１０６の映像表示パネル本体１０１と接する面の寸法は、開口部１０７の寸法よりも大きく設定されており、映像表示パネル１０１の開口部１０７が設けられた端面が、基台１０６に当接するように支持される。
【００２５】
開口部１０７と支柱１０８の寸法には、所定の差を持たせているため、単に開口部１０７と支柱１０８が結合しただけでは、映像表示パネル本体１０１は、
多少のガタ着きを持って支持手段１０２に支持されるが、立置状態に保持されることには変わりない。
【００２６】
したがって、映像表示パネル本体１０１を保管したり、あるいは他の場所に搬送するだけであるなら、開口部１０７に支柱１０８を挿通しただけで目的は達成されることになる。
【００２７】
映像表示装置１００として組立てるには、さらに映像表示パネル１０１と支持手段１０２とを固定するする必要があり、固定手段としてここではネジが用いられている。
【００２８】
すなわち、図２，３に示すように、支柱１０８の長手方向に沿って配置された４個のネジ１０９が筐体１０４の背面から支柱１０８にネジ込まれることで、映像表示パネル本体１０１が支柱１０８を介して支持手段１０２に固定される。
【００２９】
図５は、映像表示パネル本体１０１と支持手段１０２とを分解した状態を示す斜視図である。図５に示すように、映像表示パネル本体１０１の開口部１０７に対応した筐体１０４背面には、４個のネジ穴１１０が開けられている。また、支持部材１０２の支柱１０８にもネジ先を導入する小さな溝１１１がネジ穴１１０と同じ間隔で設けられている。この場合ネジ１０９としては、例えば木ネジであり、先端が支柱１０８の溝１１１にネジ込まれることになる。
【００３０】
なお、図２，３及び図５では映像表示パネル本体１０１を４個のネジ１０９で固定しているが、それは一例に過ぎず、当然ながらネジ１０９の数はもっと多くてもよく、ネジ１０９の配置も支柱１０８の長手方向に一列に配置することに限定されるものではない。ネジ以外の固定手段を用いることも可能であることは述べるまでもない。
【００３１】
図６及び図７は、この発明に係る映像表示装置の他の実施の形態を示すものであり、図６は映像表示装置６００を裏面側から見た図、図７は、上面側から見た図を示している。
【００３２】
図６，７に示すように、この実施の形態では、映像表示装置６００は、比較的小型の映像表示パネル本体６０１と支持手段６０２を備えている。映像表示パネル本体６０１には、その筐体６０３の上端面と下端面を貫通するように設けられた開口部６０４が設けられている。
【００３３】
一方、支持手段６０２は、図１乃至図５に示す映像表示装置１００と同様に構成された水平板部６０５と基台６０６を備える。さらにこの実施の形態では、支柱６０７は、その先端にユーザが手で握ることが可能な、指掛部６０８が形成されている。
【００３４】
映像表示装置６００は、まず、映像表示パネル本体６０１の開口部６０４に支持手段６０２の支柱６０７を挿通させて両者を結合させ、映像表示パネル本体６０１の筐体６０３の下端面を基台６０６の表面に当接させる。次にネジ６０９によって、映像表示パネル本体６０１を、支柱６０７を介して支持手段６０２に固定することで組立てられることになる。
【００３５】
組立てられることによって、指掛部６０８が筐体６０３の上端面から突出するようになり、ユーザはこの指掛部６０８を指で握って、映像表示装置６００の設置場所を移動させることができるようになる。
【００３６】
この実施の形態においても、ネジ６０９によって固定しなくても、映像表示パネル本体６０１を、その開口部６０４に支柱６０７を挿通させて、基台６０６上に載置させただけで、映像表示パネル本体６０１を立置状態にすることは可能であり、映像表示パネル本体６０１を保管したり、搬送する際に効率を向上させることができるものである。その状態においても、指掛部６０８によって映像表示パネル本体６０１と支持手段６０２を一体的に移動させることが可能である。
【００３７】
図８は、この発明に係る映像表示装置のさらに他の実施の形態を示す図であり、この実施の形態では、映像表示装置８００は、映像表示パネル本体８０１と支持手段８０２とで構成されており、支持手段８０２が壁面に固定されていることを特徴とする。
【００３８】
映像表示パネル本体８０１には、図示しないが筐体８０３の下端面から内部に向かって、図１乃至図５に示す映像表示装置１００の映像表示パネル１０１と同様の開口部が形成されている。
【００３９】
支持手段８０２は、壁面に固定される垂直板部８０４と、この垂直板部から水平方向に突出する基台８０５と、基台８０５の先端から垂直方向に折曲されて延びる支柱８０６とで構成されている。
【００４０】
映像表示パネル本体８０１を、その開口部を支柱８０５に挿通して、その筐体８０３の下端面を基台８０５に載置させることで、映像表示パネル本体８０１を立置状態に支持させることが可能である。
【００４１】
この場合、図には示していないが、映像表示パネル本体８０１の筐体８０３前面から支柱８０６にネジ止めしたり、あるいは基台８０５の下側から筐体８０３の下端面にネジ止めすることも可能である。
【００４２】
あるいは、映像表示パネル本体８０１を支持手段８０２に固定しないという構成をとることももちろん可能である。
【００４３】
以上説明したように、この発明の映像表示装置によれば、映像表示パネル本体に、筐体の端面から反対側の端面付近に達する、あるいは反対側の端面を貫通する開口部を設け、この開口部に、支持手段の支柱を挿通することで、映像表示パネル本体を立置状態にさせることを可能にしたので、その後の映像表示パネル本体の支柱へのネジ止め作業を極めて簡単に行うことができ作業効率を著しく向上させることができるものである。
【００４４】
また、開口部に支持手段の支柱を挿通させるだけで、映像表示パネル本体を立置状態にさせることが可能であるため、映像表示パネル本体を保管したり、移動したりする際にも、簡単に立置状態にすることができるので、保管スペースを有効に活用でき、表示面を傷付けるという事故を確実に防止することができるものである。
【００４５】
なお、映像表示パネル本体を保管したり、搬送したりする場合には、映像表示パネル本体の数だけ支持手段が必要になるが、支持手段として、水平板部と基台を一体的に大きな寸法形状で形成して、その上に支柱を所定間隔で複数本植立させたものとして構成すれば、多数の映像表示パネル本体をより安定に効率よく支持することが可能である。
【００４６】
なお、以上の説明では、映像表示パネル本体に一つの開口部を設けるものとしたが、その数は一つに限定されるものではなく、複数本設けるようにしてもよい。その他、本発明の趣旨を逸脱しない範囲で、種々変形可能である。
【図面の簡単な説明】
【００４７】
【図１】この発明に係わる映像表示装置の一実施の形態を説明するために示す正面図。
【図２】図１に示す映像表示装置を裏面側から見た状態を説明するために示す図。
【図３】図１に示す映像表示装置を側面側から見た状態を説明するために示す図。
【図４】図１に示す映像表示装置を上面側から見た状態を説明するために示す図。
【図５】図１に示す映像表示装置を分解した状態で示す斜視図。
【図６】この発明に係わる映像表示装置の他の実施の形態を説明するために示す図。
【図７】図６に示す映像表示装置を上面側から見た状態を説明するために示す図。
【図８】この発明に係わる映像表示装置のさらに他の実施の形態を説明するために示す図。
【符号の説明】
【００４８】
１００，６００，８００…映像表示装置
１０１，６０１，８０１…映像表示パネル本体
１０２，６０２，８０２…支持手段
１０３…映像表示面
１０４，６０３，８０３…筐体
１０５，６０５…水平板部
１０６，６０６，８０５…基台
１０７，６０４…開口部
１０８，６０７…支柱
１０９，６０９…ネジ
１１０……ネジ穴
１１１…溝
６０８…指掛部
８０４…垂直板部
【図１】
2006184633.tif 000003
【図２】
2006184633.tif 000004
【図３】
2006184633.tif 000005
【図４】
2006184633.tif 000006
【図５】
2006184633.tif 000007
【図６】
2006184633.tif 000008
【図７】
2006184633.tif 000009
【図８】
2006184633.tif 000010